(57)【要約】【課題】磁性体として黒色酸化鉄粉をパッキンに混入することにより、パッキンの破片および破砕粉の回収を確実かつ容易にすることが可能な配管継手用パッキンを提供すること。【解決手段】２つの配管を同軸状に接続するための接続具が、前記２つの配管のうちの一方の配管の端部に同軸状に接合され外面に鍔が設けられた第１の筒状体と、前記２の配管のうちの他方の配管の端部に同軸状に接合され外面に雄ねじが刻設された第２の筒状体と、一端に鍔が設けられた雌ねじ部とからなり、該雌ねじ部内に遊嵌状に前記第１の筒状体が差し込まれ前記第１の筒状体の鍔が当該雌ねじ部の鍔によって脱落不能に係止され、当該雌ねじ部内で係合された第１の筒状体の自由端と、当該雌ねじ部に螺着された前記第２の筒状体の自由端との間に挟持されてなるパッキンであって、当該パッキンがゴムまたはＰＴＦＥからなる環状体に黒色酸化鉄粉が混入されてなることを特徴とするパッキン。【選択図】図１
0003146625.tif 000002
【実用新案登録請求の範囲】
【請求項１】
２つの配管を同軸状に接続するための接続具が、前記２つの配管のうちの一方の配管の端部に同軸状に接合され、外面に鍔が設けられた第１の筒状体と、前記２つの配管のうちの他方の配管の端部に同軸状に接合され、外面に雄ねじが刻設された第２の筒状体と、一端に鍔が設けられた雌ねじ部とからなり、
該雌ねじ部内に遊嵌状に前記第１の筒状体が差し込まれ、前記第１の筒状体の鍔が当該雌ねじ部の鍔によって脱落不能に係止され、当該雌ねじ部内で係合された第１の筒状体の自由端と、当該雌ねじ部に螺着された前記第２の筒状体の自由端との間に挟持されてなるパッキンであって、
当該パッキンがゴムまたはＰＴＦＥからなる環状体に黒色酸化鉄粉が混入されてなることを特徴とするパッキン。
【請求項２】
前記環状体からなるパッキンの内径が、第１の筒状体および第２の筒状体の内径と同径であることを特徴とする請求項１記載のパッキン。
【請求項３】
前記環状体の断面形状が略Ｌ字状であることを特徴とする請求項２記載のパッキン。
【請求項４】
前記環状体の断面形状が略Ｔ字状であることを特徴とする請求項２記載のパッキン。
【請求項５】
前記黒色酸化鉄粉のゴムまたはＰＴＦＥに対する配合率が２０〜５０重量％である請求項１〜４のいずれかに記載のパッキン。
【請求項６】
前記黒色酸化鉄粉の粒径が０．１〜１μｍである請求項１〜５のいずれかに記載のパッキン。
【考案の詳細な説明】
【技術分野】
【０００１】
本考案は、パッキンに関する。
【背景技術】
【０００２】
パッキンやシール材は、プレス加硫されたシート状のゴム材料から打抜きなどの加工により製造される。素材として使用されるゴムは、耐油性のＮＢＲが多く、他にＳＢＲ、ＮＲ、ＣＲ、ＥＰＤＭ、１１Ｒや特殊用として、ＦＲ、Ｓｉなどがあげられる。またパッキン材およびシール材の必要性として使用目的に応じて、耐油性を必要としないものに用いるもの、耐油性が優れているものに用いるもの、耐熱・耐寒性が優れているものに用いるもの、耐熱性と耐油性が優れているものに用いるものに大別されている。
【０００３】
そして、シール特性を良くするため、面圧分布をコンスタントにするゴム材の中に磁性粉を混入させ、シール面に接する鉄系材料の密着性を良くしたものもある。
【０００４】
通常、ゴム内に磁性粉を混入させたタイプのパッキン・シール材は、ゴム材と磁性粉を混ぜる場合、ゴムをネリ上げる際に磁性粉を混入させ、これをプレス加工してシート状とし、これから打抜き加工で製造されるが、磁性粉を混入したパッキン・シール材を管継手など使用した場合、シール材が磁性を帯びているため、冷却水路や潤滑通路を流れる流体中のアカサビや鉄系摩耗粉などがシール材に付着して通路が狭くなったり、継手間の隙間を腐蝕させやすくするなどの問題が生じる。
【０００５】
例えば、特許文献１記載の考案では、ディスク状のキャビティが形成された金型内に粉体を充填し成型したディスク状のパッキン・シール材において、磁性粉を含んだゴム粒子をディスク状のキャビティの底面と外周面に接するように充填し、他方ゴム材料を上面と内周面に接するように充填してこれらを一体成形されてなるものとしている。
【０００６】
特許文献１記載の考案は、かかる構成により、パッキン材は、その表裏いずれかとその外周面は磁性粉を含んだ磁性シール層であり、継手に装着したときにその磁力により密着が良好となり、また内周面は通常のゴム層からなるため、流体中のアカサビや鉄系摩耗粉などが付着することがなくなるというものである。
【０００７】
一方、食品内への異物の混入が大きな問題となっている昨今、工場内では、仮に部品が一部なくなっただけでも、食品内への異物混入の可能性がある限りは、生産ラインをストップし、一日中、掃除や点検をしなければならない。また、掃除や点検をするために、生産ラインをストップし続けるわけにもいかず、異物混入の疑いが完全に晴れない状況で、生産ラインを再稼動せざるを得ない。異物が混入されて回収できずに出荷され、製品に異物が混入されていたことがわかった場合には、全製品を回収しなければならず、食品工場の異物混入に対するリスクを減らすことができる、食品の衛生上、安全性の高い配管接続用パッキンを提供することが、食品業界の長年の未解決の課題であった。
【０００８】
【特許文献１】特開平５−１７２２５３号公報
【考案の開示】
【考案が解決しようとする課題】
【０００９】
叙上のとおり、内燃機関、発電用蒸気プラント、原子力プラントなどの燃料、潤滑油、冷却水、蒸気用のいわゆる一般配管に使用される継手のシール用のパッキンでは、シール特性をより良くすることを技術的課題としているのであるが、飲料水、酒、味醂、醤油、ソース、酢、ケチャップなどの食品加工装置に用いられる食品加工プラント用配管継手に適用されるパッキンには、上記課題および長年の間未解決の課題である異物混入の問題に対して、強力な磁石で、磁性体を回収するという考えもあるが、磁性体に錆びが発生しても問題があり、実用化には至っていない。
【００１０】
しかし、食品加工プラントの場合、プラントを定期的に停止して、配管および継手を保守点検することによってパッキンの経年劣化の有無を目視により確認し、配管系統に配設された濾過器（strainer）によって異物を除去しているが、メッシュが大きければ異物がメッシュを通過し、異物の混入が避けられず、メッシュを小さくすると、配管中を流れる流体の抵抗になり、そのうえ、メッシュが目詰まりを起こすという問題がある。
【００１１】
そこで、本考案者は、鋭意検討の結果、黒色酸化鉄粉（鉄粉でありながらサビにくい）を、食品工場内で、用いられる配管継手用パッキンに混入することにより、食品に一端混入されても、安全であり、かつ磁性体として黒色酸化鉄粉をパッキンに混入することにより、パッキンの破片および破砕粉の回収を確実かつ容易にするという、従来にはない発想で、長年未解決であった課題を解決することが可能な配管継手用パッキンを提供することを目的とする。
【課題を解決するための手段】
【００１２】
本考案のパッキンは、２つの配管を同軸状に接続するための接続具が、前記２つの配管のうちの一方の配管の端部に同軸状に接合され、外面に鍔が設けられた第１の筒状体と、前記２つの配管のうちの他方の配管の端部に同軸状に接合され、外面に雄ねじが刻設された第２の筒状体と、一端に鍔が設けられた雌ねじ部とからなり、該雌ねじ部内に遊嵌状に前記第１の筒状体が差し込まれ、前記第１の筒状体の鍔が当該雌ねじ部の鍔によって脱落不能に係合され、当該雌ねじ部内で係止された第１の筒状体の自由端と、当該雌ねじ部に螺着された前記第２の筒状体の自由端との間に挟持されてなるパッキンであって、当該パッキンがゴムまたはＰＴＦＥからなる環状体に黒色酸化鉄粉が混入されてなることを特徴とする。
【００１３】
また、前記環状体からなるパッキンの内径が、第１の筒状体および第２の筒状体の内径と同径であることが好ましい。
【００１４】
また、前記環状体の断面形状が略Ｌ字状であることが好ましい。
【００１５】
また、前記環状体の断面形状が略Ｔ字状であることが好ましい。
【００１６】
また、前記黒色酸化鉄粉のゴムまたはＰＴＦＥに対する配合率が２０〜５０重量％であることが好ましい。
【００１７】
また、前記黒色酸化鉄粉の粒径が０．１〜１μｍであることが好ましい。
【考案の効果】
【００１８】
本考案によれば、配管継手用パッキンに、黒色酸化鉄粉が混入されているので、食品内に万が一パッキンの破片が混入してしまった場合であっても、磁力により確実かつ容易にパッキンの破片を回収することができる。また、確実にパッキンの破片を回収することができるので、人的労力を減らすことができ、工場内で破片の紛失によりラインをストップする必要がなくなり、ラインをストップするリスクを大幅に減らすことができ、工場経営者、食品会社の精神的な負担をも大幅に減らすことができる。
【考案を実施するための最良の形態】
【００１９】
添付図面を参照しつつ本考案のパッキンについて、以下に詳細に説明する。
【００２０】
図１は、本考案のパッキンの一実施の形態を示す図であり、図２は本考案のパッキンが挟持された状態を示す図であり、図３（ａ）は本考案のパッキンを示す平面図であり、（ｂ）は本考案のパッキンの一実施の形態を示す断面図、（ｃ）は本考案のパッキンの他の実施の形態を示す断面図である。
【００２１】
図１および図２において、参照符号１は２つの配管Ｐ１、Ｐ２を同軸状に接続するための接続具を示しており、当該接続具１は、前記２つの配管Ｐ１、Ｐ２のうちの一方の配管Ｐ１の端部に同軸状に接合され、外面に鍔Ｆ２が設けられた第１の筒状体２と、前記２つの配管Ｐ１、Ｐ２のうちの他方の配管Ｐ２の端部に同軸状に接合され、外面に雄ねじが刻設された第２の筒状体３と、一端に鍔Ｆ１が設けられた雌ねじ部４とから構成されている。雌ねじ部４内には、遊嵌状に前記第１の筒状体２が差し込まれ、前記第１の筒状体２の鍔Ｆ２が当該雌ねじ部４の鍔Ｆ１によって脱落不能に係合される。当該雌ねじ部４内で係止された第１の筒状体２の自由端２１と、当該雌ねじ部４に螺着された前記第２の筒状体３の自由端３１との間にパッキン５が挟持される。
【００２２】
図３を参照すると、本実施の形態にかかわるパッキン５は、環状体からなり、図２に示されるように、パッキン５が挟持された状態で、パッキン５の内径が、第１の筒状体２および第２の筒状体３の内径と同径である。パッキン５の内径が、第１の筒状体２および第２の筒状体３の内径と同径であることにより、配管内を流れる流体の抵抗を減らすことができ、かつパッキンの磨耗、損傷を防ぐことができる。
【００２３】
パッキン５の厚さ、直径は適宜変更することが可能であり、特に限定されることはない。また、当該パッキン５は、ゴムまたはＰＴＦＥと、該ゴムまたはＰＴＦＥに均一に混入された黒色酸化鉄粉６とから構成される。
【００２４】
パッキン５の形状は、図３（ｂ）に示されるように、断面形状が略Ｌ字状である。図３（ｂ）に示されるパッキン５は、第１の筒状体２の自由端側が嵌まり込む凹部を形成するように、パッキン５の外周に沿ってフランジ部が形成され、第２の筒状体３の自由端３１が当接するように、パッキン５の外径Ｄ１より小径Ｄ２の小径部６Ｓを有している。この小径部を設けることにより、パッキン５が接続具１により挟持された際の弾性変形の逃げ場を設けている。また、パッキン５は挟持されていない状態では、パッキン５の内径部が、凹状に形成されており、パッキン５が接続具１により挟持されたときに、パッキン５の内径が第１の筒状体２の内径および第２の筒状体３の内径と同径になるように設計されている。そのため、パッキン５に嵌め込まれた第２の筒状体３の自由端３１との当接部は、パッキン５の内径方向に向かって厚みが増すように設計されており、パッキン５が挟持されたときに厚みが増した部分が押圧され、前記凹状に形成されたパッキン５の内径部が弾性変形し、第１の筒状体２および第２の筒状体３の内径と同径になる。
【００２５】
また、図３（ｃ）に示されるように、パッキン５の断面形状が略Ｔ字状であっても構わない。図３（ｃ）のパッキン５も接続具１に挟持された状態でパッキン５の弾性変形により第１の筒状体２および第２の筒状体３と同径になるように構成されている。
【００２６】
本考案のパッキンに採用されるゴム材としては、例えば、シリコーンゴム、ＥＰＤＭ、ＩＩＲ、ＮＢＲ、ＣＲ、ＦＲのほか、エラストマーなどがあり、樹脂材としてＰＴＦＥなどが採用され得る。本考案のパッキンが食品加工プラントのシール材として使用されることからシリコーンゴム、ＥＰＤＭ、ＦＲなどのゴム材と、ＰＴＦＥが樹脂材として好適に採用される。
【００２７】
黒色酸化鉄粉６のゴムに対する配合率としては、２０〜５０重量％が採用される。
【００２８】
黒色酸化鉄粉６の粒径としては、０．１〜１μｍの範囲のものが採用されるため、粒径が非常に小さいため、ゴムに混ぜやすいという利点と、酸化しているため耐酸性があり、さびにくいという利点があり、着磁性にすぐれ、磁力を受けやすいというさらなる利点がある。黒色酸化鉄粉は市販されているものを採用することができる。
【図面の簡単な説明】
【００２９】
【図１】本考案のパッキンの一実施の形態を示す図である。
【図２】本考案のパッキンが挟持された状態を示す図である。
【図３】（ａ）は本考案のパッキンを示す平面図であり、（ｂ）は本考案のパッキンの一実施の形態を示す断面図、（ｃ）は本考案のパッキンの他の実施の形態を示す断面図である。
【符号の説明】
【００３０】
１  接続具
２  第１の筒状体
２１  自由端
３  第２の筒状体
３１  自由端
４  雌ねじ部
５  パッキン
６  黒色酸化鉄粉
Ｆ１、Ｆ２  鍔
Ｐ１、Ｐ２  配管
【図１】
0003146625.tif 000003
【図２】
0003146625.tif 000004
【図３】
0003146625.tif 000005